(57)【要約】【課題】紙媒体によって提供される取扱説明書などを参照することなく、種々の操作を簡単かつ確実に習得できるようにする。【解決手段】制御部１７０、合成部１８６によりＥＥＰＲＯＭ１７４の表示情報を用いて、モニタ装置の外観表示を含む操作ガイダンス表示がＬＣＤ１０１の表示画面に表示される。同時に、操作ガイダンス表示を行わない場合に表示素子の表示画面に表示される通常の表示画像を形成する画像信号から、操作ガイダンス表示に含まれるモニタ装置の外観表示上の表示画面部分に画像を表示するための画像信号を子画面処理部１８５により形成し、合成部１８６において操作ガイダンス表示と合成する。タッチパネル１０３などを通じて受け付けた操作入力に応じて、外観表示の表示画面部分の表示などを変化させる。【選択図】図２
2006011575.tif 000002
【特許請求の範囲】
【請求項１】
画像を表示する表示素子を備える表示装置部と、
使用者からの操作入力を受け付ける受付手段と、
前記表示装置部の外観表示を含む操作ガイダンス表示を行うための表示情報を記憶する記憶手段と、
前記受付手段を通じて前記操作ガイダンス表示を行うことの操作入力を受け付けた場合に、前記記憶手段に記憶されている前記表示情報に基づいて、前記操作ガイダンス表示を前記表示素子の表示画面に表示するようにする操作ガイダンス表示処理手段と、
前記操作ガイダンス表示を行っていない場合において前記表示素子の表示画面に表示されるべき画像の画像信号から、前記操作ガイダンス表示の前記表示装置部の外観表示上における表示画面部分に表示する画像の画像信号を形成する形成手段と、
前記形成手段により形成される画像信号に応じた画像を、前記表示装置部の外観表示上における表示画面部分に表示するように合成する合成処理手段と、
前記受付手段を通じて受け付ける使用者から前記操作入力に応じて、前記表示装置部の外観表示上における前記表示画面部分の表示と、前記外観表示上における前記表示画面部分以外の前記操作ガイダンス表示との一方または両方を変えるように制御する表示制御手段と
を備えることを特徴とする画像処理装置。
【請求項２】
請求項１に記載の画像処理装置であって、
前記操作ガイダンス表示を行っていない場合において前記表示素子の表示画面に表示されるべき画像は、テレビ放送信号により提供される画像信号に応じた画像、通信ネットワークを通じて受信あるいは送信する情報に応じた画像、外部機器から提供される画像信号に応じた画像、アクセス可能な記憶媒体に記憶されている画像信号に応じた画像のうちの１つであることを特徴とする画像処理装置。
【請求項３】
請求項１または請求項２に記載の画像処理装置であって、
前記受付手段を通じて、操作ガイダンス表示の終了の操作入力を受け付けた場合に、それまでの操作入力を有効とし、前記表示装置部の外観表示上における表示画面部分に表示されている画像を、前記表示素子の表示画面の全面に表示するように切り換える切換手段を備えることを特徴とする画像処理装置。
【請求項４】
受け付けた操作入力に応じて動作し、表示装置部の表示素子の表示画面に表示する画像の画像信号を出力する画像処理装置において用いられる操作ガイダンスの提供方法であって、
操作ガイダンス表示を行うことの操作入力を受け付けた場合に、記憶手段に記憶されている前記表示装置部の外観表示を含む前記操作ガイダンス表示を行うための表示情報に基づいて、前記操作ガイダンス表示を表示素子の表示画面に表示するようにする操作ガイダンス表示工程と、
前記操作ガイダンス表示を行っていない場合において前記表示素子の表示画面に表示すべき画像の画像情報から、前記表示装置部の外観表示上における表示画面部分に表示する画像の画像信号を形成する形成工程と、
前記形成工程において形成する画像情報に応じた画像を、前記表示装置部の外観表示上における表示画面部分に表示するように合成する合成処理工程と、
随時に受け付ける使用者からの操作入力に応じて、前記表示装置部の外観表示上における前記表示画面部分の表示と、前記外観表示上における前記表示画面部分以外の前記操作ガイダンス表示との一方または両方を変えるように制御する表示制御工程と
を有することを特徴とする操作ガイダンス提供方法。
【請求項５】
請求項４に操作ガイダンス提供方法であって、
前記操作ガイダンス表示を行っていない場合において前記表示素子の表示画面に表示されるべき画像は、テレビ放送信号により提供される画像情報に応じた画像、通信ネットワークを通じて受信あるいは送信する情報に応じた画像、外部機器から提供される画像情報に応じた画像、アクセス可能な記憶媒体に記憶されている画像情報に応じた画像のうちの１つであることを特徴とする操作ガイダンス提供方法。
【請求項６】
請求項４または請求項５に記載の操作ガイダンス提供方法であって、
操作ガイダンス表示の終了の操作入力を受け付けた場合に、それまでに受け付けた操作入力を有効とし、前記表示装置部の外観表示上における表示画面部分に表示されている画像を、前記表示素子の表示画面の全面に表示するように切り換えることを特徴とする操作ガイダンス提供方法。
【発明の詳細な説明】
【技術分野】
【０００１】
この発明は、例えば、ＬＣＤ（Liquid Crystal Display）、有機ＥＬ（Electro luminescence）ディスプレイ、ＣＲＴ（Cathode-Ray Tube）などの種々の表示素子を有する表示装置部に対して画像情報を提供する画像処理装置、当該画像処理装置で用いる操作ガイダンス提供方法に関する。
【背景技術】
【０００２】
例えば、テレビ受像機などの電子機器を新たに購入するなどして使い始める場合に、その操作の仕方がよく分からずに戸惑う場合がある。このような場合、一般には、電子機器に添付されている取扱説明書（操作マニュアル）を参照して、操作の仕方を習得することになる。しかし、取扱説明書を参照しながら電子機器を操作することは煩わしいし、分かりにくい場合が多々ある。
【０００３】
そこで、後に記す特許文献１には、例えば、操作手順がわからなくなった場合などにおいて、次に行うべき操作手順を示す文字、数字、図形等をディスプレイに表示することによって、次に行うべき操作手順を分かりやすくユーザーに提供する技術が開示されている。この特許文献１に記載の技術を用いることにより、操作対象の電子機器の取扱説明書をいちいち参照しなくても、適切な操作を行って、電子機器を意図するように動作させることができるようにしている。
【特許文献１】特開平８−２７９２０６号公報
【発明の開示】
【発明が解決しようとする課題】
【０００４】
ところで、上述した特許文献１に記載の技術は、次に行うべき操作手順を分かりやすく提示することができるので電子機器の使い勝手をよくする技術として有効である。しかし、多種多様な機能が搭載されるようになってきている今日の電子機器においては、種々の機能を用いるための種々の操作を、ユーザーが簡単に、しかも確実に習得できるようにすることが望まれている。つまり、次に行うべき操作手順のみをユーザーに対して提供できるだけでは十分でない。
【０００５】
一般に、操作対象の電子機器の取扱説明書には、利用可能な全ての機能についての操作説明がなされているので、操作対象の電子機器の取扱説明書の記載に従って、実際に操作を行うことによって、目的とする機能を用いる場合の操作手順を習得することが可能である。
【０００６】
しかし、取扱説明書の記載にしたがって操作を行っても、取扱説明書に記載された通りに当該電子機器が動作しているかどうかが分からなくなり、ユーザーが混乱してしまう場合があると考えられる。つまり、取扱説明書においては、電子機器に対する所定の操作後の状態の説明を簡略化したり、省略したりする場合があり、取扱説明書に記載された状態と、当該電子機器の実際の状態とが一致しているかどうかが分からなくなる場合も少なくない。
【０００７】
以上のことにかんがみ、この発明は、紙媒体によって提供される取扱説明書などを参照することなく、種々の操作を簡単かつ確実に習得できるようにする装置、方法を提供することを目的とする。
【課題を解決するための手段】
【０００８】
上記課題を解決するため、請求項１に記載の発明の表示装置は、
画像を表示する表示素子を備える表示装置部と、
使用者からの操作入力を受け付ける受付手段と、
前記表示装置部の外観表示を含む操作ガイダンス表示を行うための表示情報を記憶する記憶手段と、
前記受付手段を通じて前記操作ガイダンス表示を行うことの操作入力を受け付けた場合に、前記記憶手段に記憶されている前記表示情報に基づいて、前記操作ガイダンス表示を前記表示素子の表示画面に表示するようにする操作ガイダンス表示処理手段と、
前記操作ガイダンス表示を行っていない場合において前記表示素子の表示画面に表示されるべき画像の画像信号から、前記操作ガイダンス表示の前記表示装置部の外観表示上における表示画面部分に表示する画像の画像信号を形成する形成手段と、
前記形成手段により形成される画像信号に応じた画像を、前記表示装置部の外観表示上における表示画面部分に表示するように合成する合成処理手段と、
前記受付手段を通じて受け付ける使用者から前記操作入力に応じて、前記表示装置部の外観表示上における前記表示画面部分の表示と、前記外観表示上における前記表示画面部分以外の前記操作ガイダンス表示との一方または両方を変えるように制御する表示制御手段と
を備えることを特徴とする。
【０００９】
この請求項１に記載の発明の表示装置によれば、受付手段を通じて操作ガイダンス表示を行うことの操作入力が受け付けられると、操作ガイダンス表示処理手段により記憶手段の表示情報が用いられて、表示装置部の外観表示を含む操作ガイダンス表示が、表示装置部の表示素子の表示画面に表示される。同時に、操作ガイダンス表示を行わない場合に表示素子の表示画面に表示される通常の表示画像を形成する画像信号から、操作ガイダンス表示に含まれる表示装置部の外観表示上の表示画面に画像を表示するための画像信号が形成手段により形成される。
【００１０】
この形成手段により形成された画像信号による画像が、合成手段によって操作ガイダンス表示に合成される。そして、受付手段を通じて受け付けた操作入力に応じて、外観表示上の表示画面部分に表示した画像と、当該外観表示の表示画面部分以外の操作ガイダンス表示との一方または両方が、表示制御手段によって変えられるようにされる。
【００１１】
このように、実際に行われた操作入力に応じて、外観表示上の表示画面部分の画像と、外観表示の表示画面部分以外の操作ガイダンス表示との一方または両方が変更されるので、実際の操作入力に応じて、表示装置部の表示がどのように変化するか、すなわち、操作対象の画像処理装置がどのように動作するかをユーザーに明確に示すことができる。
【００１２】
そして、目的とする機能を実行する場合の操作入力の手順（操作手順）をユーザーが実際に体験することによって簡単かつ確実に習得することができるようにされる。この場合、表示素子の表示画面に表示される操作ガイダンス表示に応じて操作入力を行えばよいので、取扱説明書などを参照する必要もないようにされる。
【００１３】
また、請求項２に記載の発明の表示装置は、請求項１に記載の表示装置であって、
前記操作ガイダンス表示を行っていない場合において前記表示素子の表示画面に表示されるべき画像は、テレビ放送信号により提供される画像情報に応じた画像、通信ネットワークを通じて受信あるいは送信する情報に応じた画像、外部機器から提供される画像情報に応じた画像、アクセス可能な記憶媒体に記憶されている画像情報に応じた画像のうちの１つであることを特徴とする。
【００１４】
この請求項２に記載の発明の表示装置によれば、操作ガイダンス表示が行われていない場合、表示素子の表示画面には、（１）テレビ放送番組の画像、（２）Ｗｅｂページや電子メールなどの通信ネットワークを通じて受信あるいは送信される情報、（３）ＤＶＤ（Digital Versatile Disc）プレーヤやＶＴＲ（Video Tape Recorder）などの種々の外部機器からの画像信号に応じた画像、（４）自機のメモリや外部メモリなどの記録媒体に記録されている画像信号（画像情報）に応じた画像などを表示することができるようにされる。
【００１５】
したがって、操作ガイダンス表示が行うようにされた場合には、ユーザーからの操作入力に応じて、上述のような（１）〜（４）に示した画像の内のいずれかが、操作ガイダンス表示に含まれる表示装置部の外観表示上の表示画面部分に表示される。
【００１６】
これにより、どのような操作を行うことにより、目的とする画像を表示素子の表示画面に表示することができ、どのような操作入力を行うことにより、表示素子の表示画面に表示する画像を変えることができるかなど、画像の表示に関連する操作手順や表示画像を選択する場合の操作手順をユーザーに明確に示し、簡単かつ確実に習得させるようにすることができるようにされる。すなわち、多様な機能を有する画像処理装置の操作手順を無理なく修得できるようにされる。
【００１７】
また、請求項３に記載の発明の表示装置は、請求項１または請求項２に記載の表示装置であって、
前記受付手段を通じて、操作ガイダンス表示の終了の操作入力を受け付けた場合に、それまでの操作入力を有効とし、前記表示装置部の外観表示上における表示画面部分に表示されている画像を、前記表示素子の表示画面の全面に表示するように切り換える切換手段を備えることを特徴とする。
【００１８】
この請求項３に記載の発明の表示装置によれば、受付手段を通じて操作ガイダンス表示を行うことの操作入力を受け付け、操作ガイダンス表示を行って、操作ガイダンスを行うようにした後に、操作ガイダンス表示の終了の操作入力を受け付けた場合には、操作ガイダンス表示を行っている間に受け付けた操作入力を有効とし、外観表示上の表示画面部分に表示されている画像を、表示装置部の表示素子の表示画面の全面に表示するようにする通常の表示態様に戻すようにされる。
【００１９】
これにより、操作ガイダンス表示中に受け付けた操作入力を全て有効とした状態で、操作ガイダンス表示を終了し、通常の表示状態に迅速かつスムーズに移行することができ、操作ガイダンス終了後、目的とする画像情報の提供を受けるように、当該表示装置の使用を続行することができるようにされる。すなわち、操作ガイダンス表示を通じて種々の操作を簡単かつ確実に習得できるようにすることができるとともに、操作ガイダンス表示にしたがって行った操作を有効にして、目的とする画像情報の提供を受けるモードに簡単に移行することができるようにされる。
【発明の効果】
【００２０】
ユーザーの操作入力に応じて操作ガイダンス表示などが変化するようにされるので、取扱説明書などを参照することなく、ユーザー自身が行った操作入力とそれに応じて変化する操作ガイダンス表示、特に、表示装置の外観表示上の表示画面部分に表示される画像の変化などに応じて、どのような操作を行えば、当該表示装置がどのように動作するかを操作者であるユーザーに明確に示すことができる。
【００２１】
これにより、実際に行う操作入力と、これに応じて変化する操作ガイダンス表示の変化とを通じて、表示装置に目的とする動作を行わせるための種々の操作手順をユーザーが簡単かつ確実に習得することができるようにされる。
【発明を実施するための最良の形態】
【００２２】
以下、図を参照しながらこの発明による装置、方法の一実施の形態について説明する。以下に説明する実施の形態においては、テレビ放送の受信機能、ブラウザ機能、電子メール機能、外部機器接続機能などの種々の機能を備え、種々の供給元からの画像や音声を再生して出力することが可能なモニタ表示装置（以下、単にモニタ装置という。）に適用した場合を例にして説明する。
【００２３】
なお、以下に説明するモニタ装置は、家庭において用いられ、家庭内のいずれの場所でも利用できるようにするため、小型化、薄型化され持ち運びが容易なようにされたものである。また、以下の説明においては、モニタ装置に設けられ、ユーザーからの操作入力を受け付ける各種の「操作ボタンスイッチ（ハードウェアキー）」を「××操作ボタン」というように、「スイッチ」という文言を省略して記載する。
【００２４】
［モニタ装置の外観について］
図１は、モニタ装置の一例の外観を説明するための図である。図１に示すように、モニタ装置１００の正面には、ＬＣＤ（Liquid Crystal Display）１０１が設けられ、その表示画面上には、タッチパネル１０３が設けられ、ＬＣＤ１０１の左右位置には、上部にスピーカ１０５，１０６が設けられている。また、モニタ装置１００の正面の左下位置には、リモートコントローラ（以下、リモコンと略称する。）からの赤外線のリモコン信号を受光するリモコン信号受光部１０７が設けられている。
【００２５】
モニタ装置１００の正面の右側部分には、スピーカ１０６の下側に、インデックスボタン１１１、ジャンプボタン１１２、およびチャンネルボタン（チャンネルの＋ボタン、−ボタン）１１３，１１４が設けられ、正面の左側部分には、スピーカ１０５の下側に、充電ランプ（ＬＥＤ）１１５、およびメール自動送受信ランプ（ＬＥＤ）１１６が設けられる。
【００２６】
インデックスボタン１１１は、これを押すことによって、ＬＣＤ１０１上に図示するようなインデックス画面を表示するものであり、ユーザーは、タッチペンまたは指で、いずれかのメニューにタッチすることによって、テレビの選局、外部機器の操作、インターネットへのアクセス、メールの作成・送信、アルバムの表示・作成などを行うことができる。
【００２７】
ジャンプボタン１１２は、これを押すことによって、一つ前に受信していたチャンネルを受信することができるものである。
【００２８】
チャンネルボタン１１３は、これを押すことによって、ＬＣＤ１０１上に表示される操作画面が、テレビ（各放送チャンネル毎）→外部機器→インターネット→メール→アルバム→テレビ（各放送チャンネル毎）の順に切り換えられるものであり、チャンネルボタン１１４は、これを押すことによって、ＬＣＤ１０１上に表示される操作画面が、上記の順とは逆の順に切り換えられるものである。すなわち、チャンネルボタン１１３、１１４は、テレビ放送チャンネルの選局ボタンとしての機能と、実行すべき機能の選択ボタンとしての機能とを併せ持つものである。
【００２９】
ここでアルバムとは、デジタルカメラで撮影してメモリースティック（登録商標）などのメモリ・カードに記録した画像を、ＬＣＤ１０１上に表示し、ＬＣＤ１０１上で加工し、ＬＣＤ１０１上で作成したメールに添付し、加工後にモニタ装置１００内またはメモリ・カードに保存し、あるいは、テレビの画像を静止画として、またはメールで受信した画像やインターネット上で取得した画像などを、モニタ装置１００内またはメモリ・カードに保存し、ＬＣＤ１０１上で加工し、ＬＣＤ１０１上で作成したメールに添付し、あるいは、モニタ装置１００内またはメモリ・カードに保存されている画像をインターネット上にアップロードするなどを行うことが可能な機能である。
【００３０】
画像の加工としては、画像の色や明るさなどを変え、手書き入力によって画像に文字や絵などを加えることができる。
【００３１】
モニタ装置１００の上面には、タッチペン１１９が収納される溝部１２１、スタンバイランプ（ＬＥＤ）１２２、電源ボタン１２３、回線ランプ（ＬＥＤ）１２４、回線切断ボタン１２５、印刷ボタン１２６、消音ボタン１２７、音量増強ボタン１２８、および音量低減ボタン１２９が設けられる。
【００３２】
モニタ装置１００の左側面には、ＬＣＤ１０１の明るさを調整する摘み１３１、ヘッドホン接続用の端子１３２、ＵＳＢ（Universal Serial Bus）端子１３３、キーボード接続用の端子１３４、およびＡＣパワーアダプタ接続用の端子１３５が設けられる。
【００３３】
モニタ装置１００の右側面には、メモリ・カード１４１が装着（装填）されるスロット１４２、およびメモリ・カード用のランプ（ＬＥＤ）１４３が設けられ、モニタ装置１００の底面には、充電端子１５１，１５２が設けられる。
【００３４】
モニタ装置１００の背面には、モニタ装置１００の把持用の手掛け部１６１が設けられるとともに、モニタ装置１００を自立させるためのＵ形のスタンド１６３が開閉可能に取り付けられ、図では省略したが、スタンド１６３で囲まれる部分にバッテリ収納部が設けられ、これにバッテリが収納される。また、モニタ装置１００の背面には、外部機器との接続端子や通信回線との接続端子も設けられている。
【００３５】
さらに、この実施の形態のモニタ装置１００の内部には、テレビ放送信号を受信するための受信用アンテナも設けられている。
【００３６】
［モニタ装置の構成例について］
図２は、この実施の形態のモニタ装置１００の構成例を説明するためのブロック図である。この実施の形態のモニタ装置１００は、図１にも示したように、ユーザーに対して情報を提供するためのＬＣＤ１０１、スピーカ１０５、１０６が設けられている。また、ユーザーからの操作入力を受け付けるために、タッチパネル１０３、キー操作部１０９、リモコン信号受光部１０７が設けられている。すなわち、この実施の形態のモニタ装置１００は、ユーザーからの操作入力を受け付ける３つの異なる受付手段を備えている。
【００３７】
そして、モニタ装置１００の筐体内部には、図２に示すように、制御部１７０が設けられている。制御部１７０は、この実施の形態のモニタ装置１００の各部を制御するものであり、ＣＰＵ（Central Processing Unit）１７１と、ＲＯＭ（Read Only Memory）１７２と、ＲＡＭ（Random Access Memory）１７３と、ＥＥＰＲＯＭ（Electrically Erasable and Programmable ROM）１７４とがＣＰＵバス１７５を通じて接続されて形成されたマイクロコンピュータである。
【００３８】
ここで、ＲＯＭ１７２は、ＣＰＵ１７１において実行する各種のプログラムや処理に必要な種々のデータが予め記録されたものである。また、ＲＡＭ１７３は、主に各種の処理において作業領域（ワークエリア）として用いられるものである。また、ＥＥＰＲＯＭ１７４は、いわゆる不揮発性メモリであり、モニタ装置１００の電源が落とされても保持しておくべき種々のデータやパラメータなどを保持するものである。なお、この実施の形態において、ＥＥＰＲＯＭ１７４には、後述もする操作ガイダンス表示を行うための表示情報（表示データ）などの種々の表示情報も記憶保持され、必要に応じて読み出して利用することができるようにしている。
【００３９】
また、モニタ装置１００は、図２に示すように、テレビ放送信号受信用のアンテナ１８０、選局部１８１、復調部１８２、セレクタ１８３、主画像処理部１８４、子画面処理部１８５、合成部１８６、映像処理部１８７、音声処理部１８８、座標検出部１９１、キーインターフェース（以下、キーＩ／Ｆと略称する。）１９２、デジタル／アナログ変換部（以下、Ａ／Ｄ変換部と略称する。）１９３、通信部１９６、通信インターフェース（以下、通信Ｉ／Ｆと略称する。）１９７、映像信号の入力端子Ｖ１、Ｖ２、音声信号の入力端子Ａ１、Ａ２を備えている。
【００４０】
また、図２において、リモコン１９５は、この実施の形態のモニタ装置１００の専用のリモコンである。また、接続端ＭＪは、例えば、電話網などの通信ネットワークから屋内に引き込まれた通信線Ｌとの接続を行うものであり、通信ネットワークが電話網である場合には、電話線Ｌに接続されたモジュラージャックということになる。
【００４１】
そして、この実施の形態のモニタ装置１００は、テレビ放送番組の画像や音声、外部機器から提供される画像や音声、通信ネットワークを通じて取得する画像や音声、メモリ・カード１４１に記録されている画像や音声を再生して出力することができるものである。以下にその動作について順をおって説明する。
【００４２】
受信アンテナ１８０により受信されたテレビ放送信号は、選局部１８１に供給される。選局部１８１は、制御部１７０からのユーザーの選局操作入力に応じた選局制御信号に応じたテレビ放送信号を選局し、選局したテレビ放送信号を中間周波信号に変換して復調部１８２に供給する。復調部１８２は、これに供給された中間周波信号を復調して、画像信号（映像信号）と音声信号とに分離し、これらをセレクタ１８３に供給する。
【００４３】
セレクタ１８３には、図２に示したように、映像入力端子Ｖ１、Ｖ２、音声入力端子Ａ１、Ａ２を通じて供給を受けた画像信号（映像信号）、音声信号も供給される。また、通信線Ｌ、通信Ｉ／Ｆ１９７、通信部１９６を通じて取得する例えば画像や音声などのＷｅｂページの情報や送信する電子メール、受信した電子メールの内容などの情報、あるいは、メモリＩ／Ｆに接続されたメモリ・カード１４１に記録されている画像情報などが、制御部１７０およびＤ／Ａ変換部１９３を通じてセレクタ１８３に供給することができるようにされている。ここで、Ｄ／Ａ変換部１９３は、制御部１７０からのデジタルデータである画像データや音声データをアナログ信号に変換するものである。
【００４４】
セレクタ１８３は、ユーザーの切り換え操作入力に応じて制御部１７０において形成される切り換え制御信号に応じて、どの画像信号を主画像処理部１８４に供給し、どの音声信号を音声処理部１８８に供給するかを切り換える。また、子画面表示がユーザーから指示された場合に、どの画像信号を子画面処理部１８５に供給するかを切り換える。そして、セレクタ１８３からの画像信号の供給を受けた主画像処理部１８４は、ＬＣＤ１０１の表示画面の全面に表示する画像の画像信号を形成し、これを合成部１８６に供給する。
【００４５】
合成部１８６は、後述もするが、ＬＣＤ１０１の表示画面に子画面を表示する場合に、主画像処理部１８４からの画像信号による画像と子画面処理部１８５からの画像信号による画像とを合成したり、操作ガイダンス表示を行う場合に、子画面処理部１８５からの画像信号による画像と制御部１７０からの画像信号による画像とを合成したり、また、各種のメッセージ表示を行う場合に、主画像処理部１８４からの画像信号による画像と制御部１７０からの画像信号による画像とを合成したりする処理を行う。
【００４６】
なお、子画面処理部１８５は、セレクタ１８３から子画面に表示する画像情報の供給を受けて、これを間引き処理したり、補間処理したりするなどして子画面の表示エリアに表示する大きさの画像の画像信号を形成するものである。
【００４７】
そして、子画面機能を用いるようにした場合には、例えば、受信した電子メールの文面をＬＣＤ１０１の表示画面の全面に表示して電子メールを確認しながら、ＬＣＤ１０１の表示画面の一部分に子画面を設け、この子画面部分にスポーツ中継番組の画像を表示して、当該スポーツの様子を見逃すことがないようにすることができるなど、供給経路の異なる２つの画像をＬＣＤ１０１の表示画面中に同時に表示して、それらを見ることができるようにしている。
【００４８】
もちろん、Ｗｅｂページの画像とテレビ番組の画像、アルバム機能により表示するようにした画像とテレビ番組の画像など、異なる経路を通じて供給される画像信号に応じた画像を表示画面の全面を親画面とし、この親画面と、この親画面の一部に設ける子画面とに異なる画像を同時に表示することもできる。
【００４９】
そして、合成部１８６からの画像信号は、映像処理部１８７に供給される。映像処理部１８７は、合成部１８６からの画像信号に基づいて、ＬＣＤ１０１に供給してＬＣＤ１０１の表示画面に画像を表示するための画像信号を形成し、これをＬＣＤ１０１に供給する。これにより、受信選局したテレビ放送信号により提供されるテレビ放送番組の画像、映像入力端子Ｖ１、Ｖ２を通じて受け付けた外部機器からの映像信号による画像、制御部１７０、Ｄ／Ａ変換部１９３を通じて供給される通信ネットワークを通じて取得した画像データによる画像やメモリ・カード１４１からの画像データによる画像のうち、ユーザーからの操作入力に応じた目的とする画像がＬＣＤ１０１に表示される。
【００５０】
同様に、セレクタ１８３からの音声信号の供給を受けた音声処理部１８８は、供給された音声信号に対して、所定のフィルタリング処理やレベル調整処理を行って、出力用の音声信号を形成し、これをスピーカ１０５、１０６に供給する。これにより、受信選局したテレビ放送信号により提供されるテレビ放送番組の音声、音声入力端子Ａ１、Ａ２を通じて受け付けた外部機器からの音声信号による音声、制御部１７０、Ｄ／Ａ変換部１９３を通じて供給される通信ネットワークを通じて取得した音声データによる音声やメモリ・カード１４１からの音声データによる音声のうち、ユーザーからの操作入力に応じた目的とする音声がスピーカ１０５、１０６から放音されることになる。
【００５１】
このように、この実施の形態のモニタ装置１００は、キー操作部１０９、リモコン１９５、タッチパネル１０３の３つをユーザーからの操作入力を受け付ける受付手段として備えるとともに、テレビ放送信号の受信選局機能、通信ネットワークへの接続機能を利用したＷｅｂページの閲覧機能および電子メールの作成や送信あるいは受信を行う電子メール機能、メモリ・カード１４１に記憶保持された画像データを表示して利用するためのアルバム機能を備えるものである。
【００５２】
そして、上述のように多機能なこの実施の形態のモニタ装置１００は、使い始めであっても取扱説明書を見ながら操作を行うことはない。この実施の形態のモニタ装置１００においては、操作のシミュレーションを行うことが可能な操作シミュレーションモードを備えている。この操作シミュレーションモード時に操作ガイダンス表示を行い、これに応じて操作を行うことによって、当該操作に応じたモニタ装置１００の動作の変化をユーザーに提示するようにして、目的とする機能を用いるための操作を簡単かつ確実に習得できるようにするとともに、目的とする機能を簡単に実行して、これを利用することができるようにしている。
【００５３】
［操作ガイダンス表示の表示例］
図３、図４は、操作シミュレーションモードにおいて表示される操作ガイダンス表示の表示例を説明するための図である。後述もするように、この実施の形態のモニタ装置１００においては、電源投入後、操作ガイダンス表示を行うことを指示する操作入力を行うことによって、制御部１７０は、自機を操作シミュレーションモードに遷移させ、ＥＥＰＲＯＭ１７４に記憶されている表示情報を用いて所定の操作ガイダンス表示を行って、ユーザーからの操作入力を受け付ける。
【００５４】
この場合の操作ガイダンス表示を行うことを指示する操作入力は、例えば、ＬＣＤ１０１の表示画面に表示される操作ガイダンス表示を行うことを指示するためのメニュー（表示とタッチパネル１０３とからなるいわゆるソフトウェアキー）に対して、指などを接触させ、その接触位置を、座標検出部１９１を通じて制御部１７０が検出した場合に、制御部１７０は、操作ガイダンス表示を行うようにする。
【００５５】
例えば、図１の正面図に示した例の場合、記号１０１ａが、取扱説明書の内容をＬＣＤ１０１に表示するためのメニューであり、記号１０１ｂが、操作ガイダンス表示を行うことを指示するためのメニューである。したがって、インデックス表示画面において、操作ガイダンス表示を行うことを指示するメニュー上に指やタッチペンを接触させることによって、操作ガイダンス表示を行うようにすることができる。
【００５６】
この場合、制御部１７０は、ＥＥＰＲＯＭ１７４に記憶保持されている表示情報の内、操作ガイダンス表示を行うための表示情報を合成部１８６に供給することによって、ＬＣＤ１０１の表示画面に操作ガイダンス表示を行うようにする。なお、モニタ装置１００の筐体に設けられた所定の操作ボタン（ハードウェアキー）やリモコン１９５の所定の操作ボタン（ハードウェアキー）を操作することによっても、操作ガイダンス表示を行うことをモニタ装置１００に対して指示することができる。
【００５７】
そして、上述したように操作ガイダンス表示を行うことを指示する操作入力を行って、テレビ放送チャンネルの選局やＷｅｂページの閲覧などを行うための基本的な操作に関する操作ガイダンス表示を行うように操作すると、制御部１７０は、ＥＥＰＲＯＭ１７４から操作ガイダンス表示のために必要になる表示情報を読み出して、これを合成処理部１８６に対して供給することにより、例えば、図３に示すような操作ガイダンス表示を行う。
【００５８】
図３において、最も外側にある四角枠がＬＣＤ１０１の実際のＬＣＤ１０１の表示画面の表示画面範囲を示しており、ＬＣＤ１０１の当該表示画面に、現在の動作モードを示すモード名表示１１と、画面タイトル表示１２と、この実施の形態のモニタ装置１００の外観表示１３と、ガイダンス表示１４ａとが表示される。外観表示１３は、モニタ装置１００のＬＣＤ１０１の表示画面を含む面（正面）側をこれと対抗する側から見た場合の外観を示すものである。
【００５９】
この場合のモード名表示１１は、現在の動作モードが操作シミュレーションモードであり、操作ガイダンス表示を行っていることを示すものである。また、この場合の画面タイトル表示１２は、表示している操作ガイダンス表示が、基本編の操作ガイダンス表示の１番目の操作ガイダンス表示であることを示すものである。
【００６０】
そして、外観表示１３において、ＬＣＤ１０１の表示画面に相当する分部（図３において外観表示１３内の点線で示した部分）は、操作に応じて変化することになる画像を実際に即して表示するアクティブ画面領域１３Ｓとして用いるようにしている。この場合、アクティブ画面領域１３Ｓには、電源投入後に最初に表示される、あるいは、インデックスボタン１１１を押下操作することによっても表示されるインデックス画面が表示されている場合を示している。
【００６１】
そして、外観表示１３に対して付けられている（１）〜（５）の表示は、異なる機能が割り当てられたメニュー（ソフトウェアキー）部分を示すものであり、ガイダンス表示１４ａにおいての（１）〜（５）の記載に対応するものである。この場合、（１）が示す７つのメニュー群（数字１、３、４、６、８、１０、１２が割り当てられたソフトウェアキーからなる部分）は、テレビ放送チャンネルの選局キー群である。（２）が示すメニューは、外部機器からの信号を受け付けるようにするための入力切り換えキーである。
【００６２】
また、（３）が示すメニューは、インターネットにアクセスしてインターネット上のＷｅｂページを参照するためのいわゆるブラウザ機能の実行キーである。（４）が示すメニューは、電子メール機能の実行キーであり、この（４）が示すメニュー（ソフトウェアキー）を選択することにより、電子メールを作成して送信したり、自機宛ての電子メールを受信して表示したりするなどの電子メールに関する機能を行うことができるようにされる。また、（５）が示すメニューは、アルバム機能の実行キーであり、メモリ・カード１４１に記憶されている画像データを読み出して一覧表示し、これを利用する場合に用いるものである。
【００６３】
そして、外観表示１３において点線で示したアクティブ画面領域１３Ｓ内への接触が有効となるようにされ、アクティブ画面領域１３Ｓに表示されたメニュー（ソフトウェアキー）の中から目的とするメニューを選択することができるようにされる。
【００６４】
したがって、ユーザーは、ガイダンス表示１４ａによって、外観表示１３のアクティブ画面領域１３Ｓに表示された各ソフトウェアキーの意味を確認し、目的とする機能を実行するためにアクティブ画面領域１３Ｓ内に表示されたソフトウェアキーの中から目的とする機能を実行するためのメニューに対して接触操作を行うことによって、その機能を実行することができるようにされる。
【００６５】
例えば、図３において、（１）が示すテレビ放送チャンネルの選局キーのいずれかが選択操作されると、モニタ装置１００の制御部１７０は、その操作をタッチパネル１０３および座標検出部１９１を通じて受け付けて、どのメニュー（ソフトウェアキー）が選択されたかを判別し、選択されたメニューに対応するテレビ放送信号を受信選局するための選局制御信号を形成し、これを選局部１８１に供給する。また、この場合、制御部１７０は、セレクタ１８３を制御し、選局部１８１で受信選局し、復調部１８２で復調したテレビ放送番組の画像信号を子画面処理部１８５に供給し、当該テレビ放送番組の音声信号を音声処理部１８８に供給する。
【００６６】
これにより、モニタ装置１００のＬＣＤ１０１の表示画面に表示される操作ガイダンス表示は、図４に示すように変わることになる。すなわち、モード名表示１１は変わらないが、画面タイトル表示１２が、操作ガイダンス表示の基本編の２番目の操作ガイダンス表示であることを示すものに変わる。そして、外観表示１３のアクティブ画面領域１３Ｓには、図３に示したように、インデックス画面表示から選択したテレビ放送チャンネルにおいて放送されているテレビ放送番組の画像が表示するようにされる。
【００６７】
なお、図４に示した例の場合、アクティブ画面領域１３Ｓには、選局されたテレビ放送チャンネルにおいて放送されているニュース番組の画像が表示されている場合を示している。また、このテレビ放送番組の音声がモニタ装置１００のスピーカ１０５、１０６から放音される。
【００６８】
そして、ガイダンス表示１４ｂとして、電源ボタン（電源のオン／オフボタン）についての情報、チャンネルを変更するためのチャンネル＋、−ボタンについての情報、音量を変更するための音量＋、−ボタンについての情報、その他のガイダンス情報などが表示される。また、外観表示１３に示された（１）、（２）、（３）の表示は、各操作ボタンに対応している。すなわち、外観表示１３において、（１）は、電源ボタンの位置を示し、（２）は、チャンネル＋、−ボタンの位置を示し、（３）は、音量＋、−ボタンの位置を示している。
【００６９】
この図４に示した状態において、実際に図１に示した実物のモニタ装置１００のチャンネルボタン１１３，１１４を操作することにより、制御部１７０は、選局部１８１に供給する選局制御信号を形成して、操作に応じたテレビ放送チャンネルを選局して、新たに選局したテレビ放送番組の画像を外観表示１３のアクティブ画面表示領域１３Ｓに表示し、当該テレビ放送番組の音声をモニタ装置１００のスピーカ１０５，１０６から放音することができるようにされる。
【００７０】
また、ガイダンス表示１４ｂのその他の表示（ちっと一言以下の表示情報）によって、ユーザーは、リモコン１９５を通じてテレビ放送チャンネルの選局や音量を変更したり、また、図３に示したように、インデックス画面を表示し、この表示とタッチパネル１０３を通じて、テレビ放送チャンネルを変更したりできることをユーザーに知らせるようにしている。
【００７１】
このように、この実施の形態のモニタ装置１００は、操作ガイダンス表示を行うようにした場合に、操作シミュレーションモードとなり、自機の外観表示１３をＬＣＤ１０１の表示画面に表示するとともに、文字や記号などの表示情報によって、操作手順などをユーザーに分かりやすく提供することができるようにしている。
【００７２】
そして、提供された操作ガイダンス情報に従って、実際にモニタ装置１００に対して操作を行うことによって、その操作に応じて、モニタ装置１００の制御部１７０が実際に各部を制御して、外観表示１３のアクティブ画面領域１３Ｓの表示画像を変更したり、スピーカ１０５、１０６から放音する音声を変更したりすることにより、行った操作に応じて、モニタ装置１００がどのように動作するかを実際にユーザーに提示することができる。
【００７３】
すなわち、モニタ装置１００のＬＣＤ１０１の表示画面に表示される操作ガイダンス表示を見ながら、モニタ装置１００を実際に操作することによって、その操作に応じて外観表示１３などの表示を変化させることによって、操作に応じたモニタ装置の動作のシミュレーションを行うことができる。これにより、目的とする機能を用いるために行う操作手順を、簡単に、しかも、確実に習得することができるようにしている。
【００７４】
なお、図３に示したガイダンス表示１４ａ部分の下側の前頁アイコン１４Ｂ、次ページアイコン１４Ｎ、および、図４に示したガイダンス表示１４ｂ部分の下側の前頁アイコン１４Ｂ、次ページアイコン１４Ｎは、ガイダンス表示の改ページを行う場合に選択するものである。また、図３に示したガイダンス表示１４ａ部分の終了アイコン１４Ｅおよび図４に示したガイダンス表示１４ｂ部分の終了アイコン１４Ｅは、操作ガイダンス表示の終了の指示を受け付けるものである。
【００７５】
そして、この実施の形態のモニタ装置１００においては、上述のように、操作ガイダンス表示を行って、ユーザーからの操作入力を受け付けた後に、操作ガイダンス表示を終了させるようにする所定の操作入力を受け付けた場合には、その操作後の状態のまま通常の動作状態（通常の表示状態）に戻ることができる。つまり、操作ガイダンス表示を行う操作シミュレーションモードと操作シミュレーションモード以外の通常の動作モードとの間で、動作状態のリンクの継続が取れるようになっている。
【００７６】
例えば、テレビ放送チャンネルの選択の仕方がわからないために、操作ガイダンス表示を行って、テレビ放送チャンネルの選択操作を行った後に、操作ガイダンス表示を終了させると、操作ガイダンス表示を行っている場合（操作シミュレーションモードであるとき）に行った操作入力が有効とされ、その操作入力によって選局されたテレビ放送チャンネルを選局した状態で、通常の動作モードに遷移し、その選局されたテレビ放送チャンネルにより提供されるテレビ放送番組の視聴を続行することができるようにしている。
【００７７】
また、インターネットに接続してＷｅｂページを閲覧するようにするための操作を操作ガイダンス表示にしたがって行った後、操作ガイダンス表示を終了させると、通常のＷｅｂページの閲覧モードに遷移し、Ｗｅｂページの閲覧を継続して行うことができるようにしている。
【００７８】
また、テレビ放送チャンネルの選択操作についての操作ガイダンス表示と同様にして、インターネットに接続してＷｅｂページを閲覧する場合の操作、電子メールを作成して送信する場合の操作、自機宛ての電子メールを受信してＬＣＤ１０１に表示する操作、メモリ・カードに記憶されている静止画像に一覧表示を行うアルバム機能を動作させる操作などについても操作ガイダンス表示を行うことができる。
【００７９】
そして、表示された操作ガイダンス表示にしたがって操作を行うことにより、行われた操作に応じてモニタ装置１００は、外観表示１３などのＬＣＤ１０１の表示画面に表示されている操作ガイダンス表示を変化させ、操作に応じて、モニタ装置１００がどのように動作するかを、ユーザーに対して明確に提示し、簡単かつ確実にモニタ装置１００に対する的とする操作を習得させることができるようにしている。
【００８０】
［モニタ装置１００においての操作ガイダンス表示に関する動作］
次に、図５、図６、図７のフローチャートを参照しながら、この実施の形態のモニタ装置１００において、操作ガイダンス表示を行う場合の動作について詳細に説明する。図５は、操作ガイダンス表示を行うことを指示する場合の動作を説明するためのフローチャートである。また、図６は、操作ガイダンス表示を行うことが指示された場合の動作を説明するためのフローチャートであり、図７は、図６に示したステップＳ２０３において行われる処理を詳細に説明するためのフローチャートである。
【００８１】
この実施の形態のモニタ装置１００は、電源ボタン１２３が押下操作されて電源が投入されると、制御部１７０は、図５に示す処理を実行し、図１の正面図に示したように、選択可能な機能に対応する複数のメニュー（ソフトウェアキー）が表示されたインデックス画面を表示する（ステップＳ１０１）。このインデックス画面の表示は、制御部１７０から合成部１８６にインデックス画面の表示情報を供給することにより行われる。
【００８２】
このステップＳ１０１のインデックス画面には、図１あるいは図３に示したように、テレビ放送チャンネルの複数の選局キー、外部機器からの信号を受け付けるようにするための入力切り換えキー、ブラウザ機能の実行キー、電子メール機能の実行キーのほか、図示しなかったが、例えば、取扱説明書の表示指示キーや操作ガイダンス表示の実行キーなどが設けられたものである。
【００８３】
そして、モニタ装置１００の制御部１７０は、ユーザーからの操作入力を受け付けるようにし、ユーザーからの操作入力を受け付けたか否かを判断する（ステップＳ１０２）。ステップＳ１０２の判断処理において、ユーザーからの操作入力を受け付けていないと判断したときには、ステップＳ１０２の処理を繰り返し待ち状態となる。そして、ステップＳ１０２の判断処理において、ユーザーからの操作入力を受け付けたと判断したときには、制御部１７０は、その受け付けた操作入力が操作ガイダンス表示を行うことの操作入力か（操作ガイダンスが選択されたか）否かを判断する（ステップＳ１０３）。
【００８４】
ステップＳ１０３の判断処理において、操作ガイダンス表示を行うことが選択されたと判断したときには、制御部１７０は、図６に示す操作ガイダンスルーチンを実行する（ステップＳ１０４）。そして、このステップＳ１０４においての操作ガイダンスルーチン終了後にステップＳ１０２からの処理を繰り返すようにする。
【００８５】
また、ステップＳ１０３の判断処理において、受け付けた操作入力は、操作ガイダンス表示を行うことの選択ではないと判断したときには、操作に応じた処理、例えば、テレビ放送チャンネルの変更、Ｗｅｂページの閲覧、電子メール機能の実行、アルバム機能の実行などの処理が行われるようにされ（ステップＳ１０５）、この後に、ステップＳ１０２からの処理を繰り返す。
【００８６】
このように、この実施の形態のモニタ装置１００においては、インデックス画面が表示されている場合に、所定の操作を行うことにより、操作ガイダンス表示を行うことを指示し、操作ガイダンス表示を行うことができるようにしている。
【００８７】
図６は、操作ガイダンス表示を行うことが指示された場合のモニタ装置１００の動作を説明するためのフローチャートであり、図５に示したステップＳ１０４において実行される処理を説明するためのフローチャートである。
【００８８】
操作ガイダンス表示を行うことを指示する操作入力を受け付けると、モニタ装置１００の制御部１７０は、図６に示す操作ガイダンスルーチンを実行し、まず、選択メニューをＬＣＤ１０１に表示する（ステップＳ２０１）。この選択メニューの表示は、制御部１７０から合成部１８６に選択メニューの表示データが供給されることにより行うようにされる。
【００８９】
このステップＳ２０１で表示される選択メニューは、どの操作ガイダンス表示を行うようにするかを選択するものであり、例えば、（１）テレビ機能に関する操作ガイダンス表示、（２）Ｗｅｂ閲覧機能に関する操作ガイダンス表示、（３）電子メール機能に関する操作ガイダンス表示、（４）アルバム機能に関する操作ガイダンス表示、（５）その他の操作ガイダンス表示などが選択可能にされる。
【００９０】
そして、モニタ装置１００の制御部１７０は、ユーザーからの操作入力を受け付けるようにし、操作入力を受け付けたか否かを判断する（ステップＳ２０２）。ステップＳ２０２の判断処理において、ユーザーからの操作入力を受け付けていないと判断したときには、ステップＳ２０２からの処理を繰り返し、操作入力の待ち状態となる。
【００９１】
ステップＳ２０２の判断処理において、ユーザーからの選択入力を受け付けたと判断したときには、制御部１７０は、操作シミュレーションモードに遷移し、受け付けた選択入力に応じた操作ガイダンス表示を行って、ユーザーからの操作入力を受け付け、この操作入力に応じてＬＣＤ１０１への表示を変更していく操作シミュレーション処理を実行する（ステップＳ２０３）。そして、このステップＳ２０３の処理の後に、この図６に示す操作ガイダンスルーチンを終了する。
【００９２】
図７は、図６に示した操作ガイダンスルーチンのステップＳ２０３において実行される処理を説明するためのフローチャートである。目的とする操作ガイダンス表示を行うようにする操作入力を受け付けると、モニタ装置１００の制御部１７０は、指示された操作ガイダンス表示を行うための表示データを合成部１８６に供給して、例えば図３に示したように、外観表示１３やガイダンス表示１４ａなどを含む操作ガイダンス表示をＬＣＤ１０１の表示画面に表示する（ステップＳ３０１）。
【００９３】
そして、制御部１７０は、表示された操作ガイダンス表示の外観表示１３のアクティブ画面領域１３Ｓに、通常の表示を行うようにする（ステップＳ３０２）。ここで、通常の表示は、この実施の形態のモニタ装置１００においては、例えば、各機能の選択が可能であるインデックス画面の表示が行うようにされ、機能の選択の操作入力を行うことができるようにされる。
【００９４】
この後、制御部１７０は、操作ガイダンス表示を見ながら行われるユーザーからの操作入力を受け付けるようにし、操作入力を受け付けたか否かを判断する（ステップＳ３０３）。ステップＳ３０３の判断処理において、操作入力を受け付けていないと判断したときには、ステップＳ３０３の処理を繰り返し、ステップＳ３０３に操作入力を受け付けたと判断したときには、その操作入力は操作ガイダンス表示の終了を指示する終了操作入力か否かを判断する（ステップＳ３０４）。
【００９５】
ステップＳ３０４の判断処理において、受け付けた操作入力が終了操作入力ではないと判断した場合には、制御部１７０は、受け付けたユーザーからの操作入力に応じて、ステップＳ３０１、ステップＳ３０２において表示するようにした外観表示１３のアクティブ画面領域の表示や、アクティブ画面領域以外の操作ガイダンス表示を変更するようにして（ステップＳ３０５）、ステップＳ３０３からの処理を繰り返し、ユーザーからの操作入力を引き続き受け付けるようにする。
【００９６】
また、ステップＳ３０４において、受け付けユーザーからの操作入力が、終了操作入力であると判断したときには、制御部１７０は、操作ガイダンス表示を行っている場合に受け付けた（操作シミュレーションモード時に受け付けた）ユーザーからの操作入力に応じた状態を維持して通常のモードへ遷移し（ステップＳ３０６）、この図７に示す処理を終了する。
【００９７】
このように、この実施の形態のモニタ装置１００においては、取扱説明書を見ながら操作を行って、モニタ装置１００に対する操作を習得するようにする必要はない。操作ガイダンス表示をＬＣＤ１０１の表示し、この操作ガイダンス表示にしたがって実際にモニタ装置１００に対して操作入力を行うことにより、その操作入力に応じて操作ガイダンス表示中のモニタ装置１００の外観表示１３のアクティブ画面領域１３Ｓの表示画像やその他の表示を変更することにより、行った操作入力とこれに応じたモニタ装置１００の動作を関連付けて習得することができるようにされている。
【００９８】
すなわち、この実施の形態のモニタ装置１００は、ＥＥＰＲＯＭ１７４に操作マニュアルについての情報を入れ込み、それをＬＣＤ１０１の表示画面上に表示できるようにすると同時に、モニタ装置１００のＬＣＤ１０１の表示画面に表示される表示画像（表示内容）をＬＣＤ１０１の表示画面に表示したモニタ装置１００の外観表示（仮想的な表示）の表示画面部分に表示させるようにしている。
【００９９】
そして、いわゆるウイザード形式（対話型形式）で操作マニュアルをＬＣＤ１０１の表示画面に表示してユーザーに提供し、ユーザーによる操作入力を受け付け、受け付けた操作入力に応じて、モニタ装置１００の外観表示やガイダンス表示を変化させることにより、シミュレーション式で操作マニュアルを提供して、簡単に、かつ、確実にユーザーが操作を習得できるようにすることができるようにされる。すなわち、シミュレーション式のオンスクリーンマニュアルを実現することができる。
【０１００】
なお、上述した実施の形態のモニタ装置１００においては、操作ガイダンス表示を行って、ユーザーからの操作入力を受け付けた後、操作ガイダンス表示を終了させるようにした場合には、操作ガイダンス表示時に受け付けた操作入力を全て有効なものとして、その操作された状態のまま通常の動作モードに遷移するようにした。しかし、これに限るものではない。
【０１０１】
例えば、操作ガイダンス表示を行っている場合に受け付けた操作入力は、操作ガイダンス表示を行っている場合にのみ有効にし、操作ガイダンス表示を終了させた場合には、その間に行われた操作を無効にして、操作ガイダンス表示を行う前の状態に戻すようにすることもできる。この場合には、操作シミュレーションを集中的に行って、モニタ装置の操作の仕方をマスターしようとする場合などに有効である。
【０１０２】
なお、上述の実施の形態において、ＬＣＤ１０１が表示素子としての機能を実現し、タッチパネル１０３と座標検出部１９１やキー操作部１０９やリモコン１９５が操作入力を受け付ける受付手段としての機能を実現している。また、ＥＥＰＲＯＭ１７４が操作ガイダンス表示を行うための表示情報を記憶保持する記憶手段としての機能を実現し、制御部１７０、合成部１８６が協動して操作ガイダンス表示処理手段としての機能を実現し、また、子画面処理部１８５が、外観表示上のアクティブ画面領域に表示する画像の画像信号を形成する形成手段としての機能を実現している。
【０１０３】
また、操作ガイダンス表示と外観表示上のアクティブ画面領域に表示する画像とを合成する合成処理手段としての機能を合成部１８６が実現し、表示を変化させるように制御する表示制御手段としての機能を制御部１７０が実現するようにしている。また、ＬＣＤ１０１の表示画面に表示する画像を切り換えるようにする切り換え手段としての機能をセレクタ１８３が実現するようにしている。
【０１０４】
なお、上述した実施の形態においては、タッチパネル１０３と座標検出部１９１、キー操作部１０９、リモコン１９５を操作入力を受け付ける受付手段として用いるようにしたが、これに限るものではない。例えば、動画像を取り込むカメラ部を設け、ユーザーの手振り身振り（いわゆるジェスチャー）を受け付け、その受け付けたジェスチャーを操作入力として受け付けるようにしてもよい。例えば、右手を右に振った場合には音量アップ、左に振った場合は音量ダウンというように、ジェスチャーによって操作入力を行うことができる。この場合には、取り込んだ画像の動きを認識するための画像認識処理を制御部１７０で行うようにすることになる。
【０１０５】
また、マイクロホンを設け、これを操作入力を受け付ける受付手段として用いるようにしてもよい。この場合には、マイクロホンで集音したユーザーの声をデジタル信号に変換し、制御部１７０において、予め用意された音声データとのパターンマッチングを行うことにより、「チャンネルアップ」、「チャンネルダウン」と声を発することにより、モニタ装置などの電子機器に対して操作入力を行うことが可能である。
【０１０６】
また、上述した実施の形態においては、例えば、インデックス画面のアイコン１０１ａを選択したときには、取扱説明書の内容の表示を行い取扱説明書を読むことができ、インデックス画面のアイコン１０１ｂを選択したときには、操作ガイダンス表示を行うものとして説明した。しかし、これに限るものではない。
【０１０７】
例えば、取扱説明書の内容を表示素子の表示画面に確認しているときに、例えば所定の操作を行うことにより操作ガイダンス表示を行うように操作シミュレーションモードとなり、操作シミュレーションを行うようにすることもできる。すなわち、適宜の場合に、上述したように操作ガイダンス表示を行って、実際の操作手順を確認するとともに、操作に応じてどのように画像が変化するか（モニタ装置１００が動作するか）を体験できるようにすることもできる。
【０１０８】
また、上述した実施の形態においては、操作ガイダンス表示は、ＥＥＰＲＯＭ１７４に保持されている表示情報を合成部１８６に供給することにより行うものとして説明したが、これに限るものではない。操作ガイダンス表示を行うための表示情報を、例えば、制御部１７０からＤ／Ａ変換部１９３、セレクタ１８３を通じて、主画像処理部１８４に供給するようにしてももちろんよい。
【０１０９】
また、インターネットなどの通信ネットワークやメモリ・カードなどの記憶媒体を介して、取扱説明書の内容を表示するためのデータや操作ガイダンス表示を行うためのデータを提供できるようにしておき、間違いがあった場合に、取扱説明書や操作ガイダンス表示を変更できるようにすることもできる。
【０１１０】
もちろん、通信ネットワークやメモリ・カードなどの記録媒体を介して、追加機能を実現するためのプログラムをダウンロードするようにし、この追加された機能に対応する取扱説明の情報や操作ガイダンス表示を行うための情報についてもダウンロードできるようにすることも可能である。
【０１１１】
また、上述した実施の形態においては、モニタ装置に適用した場合を例にしいて説明したが、これに限るものではない。例えば、モニタ装置に接続されるＶＴＲやＤＶＤプレーヤ、ビデオカメラなど、画像信号（映像信号）を出力する画像出力機器にこの発明を適用することができる。この場合には、画像出力機器に接続されるテレビ受像機などの表示素子を備えた表示装置が必ず必要になる。
【０１１２】
すなわち、この発明は、種々の画像出力装置とテレビ受像機などの画像表示装置とから構成される表示装置にも適用することができる。すなわち、画像信号（映像信号）を処理する装置部分と、画像を表示する表示素子を有する装置部分とが別体となっている表示装置の場合にもこの発明を適用することができる。
【図面の簡単な説明】
【０１１３】
【図１】この発明の一実施の形態が適用されたモニタ装置の外観を説明するための図である。
【図２】この発明の一実施の形態が適用されたモニタ装置の構成を説明するためのブロック図である。
【図３】図１、図２に示したモニタ装置において行われる操作ガイダンス表示の一例を説明するための図である。
【図４】図１、図２に示したモニタ装置において行われる操作ガイダンス表示の一例を説明するための図である。
【図５】図１、図２に示したモニタ装置の動作を説明するためのフローチャートである。
【図６】図１、図２に示したモニタ装置の動作を説明するためのフローチャートである。
【図７】図１、図２に示したモニタ装置の動作を説明するためのフローチャートである。
【符号の説明】
【０１１４】
１００…モニタ装置、１０１…ＬＣＤ、１０３…タッチパネル、１０５、１０６…スピーカ、１０７…リモコン信号受光部、１０９…キー操作部１０９、１４０…メモリインターフェース、１４１…メモリ・カード、１７０…制御部、１７１…ＣＰＵ、１７２…ＲＯＭ、１７３…ＲＡＭ、１７４…ＥＥＰＲＯＭ、１７５…ＣＰＵバス、１８０…テレビ放送信号受信用のアンテナ、１８１…選局部、１８２…復調部、１８３…セレクタ、１８４…主画像処理部、１８５…子画面処理部、１８６…合成部、１８７…映像処理部、１８８…音声処理部、１９１…座標検出部、１９２…キーインターフェース、１９３…デジタル／アナログ変換部、１９６…通信部、１９７…通信インターフェース、Ｖ１、Ｖ２…映像信号の入力端子、Ａ１、Ａ２…音声信号の入力端子、１９５…リモコン、ＭＪ…接続端、Ｌ…通信線
【図１】
2006011575.tif 000003
【図２】
2006011575.tif 000004
【図３】
2006011575.tif 000005
【図４】
2006011575.tif 000006
【図５】
2006011575.tif 000007
【図６】
2006011575.tif 000008
【図７】
2006011575.tif 000009